(57)【特許請求の範囲】
【請求項１】
複数枚積層した状態の紙葉類のうち１枚を送り出す送り出し機構と、
紙葉類に糊を転写する機能を有する転写機構と、
これら送り出し機構及び転写機構を作動させるための操作力を受け付ける操作部と
を具備し、
紙葉類をセットした後操作部に対する一連の操作を受けて前記送り出し機構と前記転写機構とが連続して作動する綴じ具であって、
操作部に対する初回の操作を行うことにより前記送り出し機構が機能してセットした紙葉類の最上層に位置する１枚が送り出される動作と前記転写機構が機能して最上層の直下に位置する１枚に糊が転写する動作とが続けて行われ、
操作部に対する２回目以降の操作を行うことにより前記送り出し機構と同一の送り出し機構が機能して直前の操作により糊が転写された１枚が送り出される動作と前記転写機構が機能して糊が転写された１枚の直下に位置する１枚に糊が転写する動作とが続けて行われることを特徴とする綴じ具。
【請求項２】
セットした紙葉類を挟持する紙葉類挟持部を先端部に有し、糊を転写した後の紙葉類がこの紙葉類挟持部と転写機構との間の空間に配されるとともに、糊を転写した後の紙葉類を前記空間から紙葉類挟持部を通過させて取り除く操作により紙葉類を綴じることが可能である請求項１記載の綴じ具。
【請求項３】
同一の操作部に対する操作により、前記送り出し機構による紙葉類の送り出しと、前記転写機構による転写とを連続して行う請求項１又は２記載の綴じ具。
【請求項４】
複数枚積層した状態の紙葉類のうち最上層の１枚を送り出す送り出し機構と、
紙葉類に糊を転写する機能を有する転写機構と、
これら送り出し機構及び転写機構を作動させるための操作力を受け付ける操作部と
を具備し、
紙葉類をセットした後操作部に対する一連の操作を受けて前記送り出し機構と前記転写機構とが連続して作動し、
同一の操作部に対する操作により、前記送り出し機構による紙葉類の送り出しと、前記転写機構による転写とを連続して行う綴じ具であって、
前記操作部に対する操作を開始した後紙葉類が所定距離移動するまでは前記送り出し機構のみが作動するとともに、送り出し機構により紙葉類が所定距離移動した後は前記送り出し機構と前記転写機構との双方が作動することを特徴とする綴じ具。
【請求項５】
転写テープを巻き回してなる転写ヘッドと、
この転写ヘッドを備えたリフィルを支持するケースと、
このケースを回動可能に支持するベースと、
複数枚積層した状態の紙葉類のうち１枚を送り出す送り出し機構と、
紙葉類に糊を転写する機能を有する転写機構と、
これら送り出し機構及び転写機構を作動させるための操作力を受け付ける操作部と
を具備し、
前記送り出し機構が、ケースに基端部を枢着したアーム及びこのアームの先端部に設けられ最上層に位置する１枚の紙葉類との間で摩擦力を発生させて該紙葉類を送り出す摩擦力付与部材を備え、セットした紙葉類のうち最上方に位置する１枚を送り出す１枚目送り出し部と、セットした紙葉類のうち最上方から２枚目以降を送り出す２枚目以降送り出し部とを備え、
前記転写機構が、糊を転写する機能の他に、糊が転写された紙葉類を送り出しその直下に位置する紙葉類を表出させる、前記２枚目以降送り出し部としての機能を有するとともに、
前記ケースに支持させたリフィルの転写ヘッドが前記ベース及び紙葉類から離間する退避位置から前記転写ヘッドが紙葉類に衝き当たる使用位置までケースを移動させる操作に伴い、前記１枚目送り出し部が作動することを特徴とする綴じ具。
【発明の詳細な説明】
【技術分野】
【０００１】
本発明は、複数枚の紙葉類を綴じるための綴じ具に関する。
【背景技術】
【０００２】
従来、紙葉類に孔を穿設することなく紙葉類を綴じる方法として、ステープラを用いて金属製のステープルにより綴じる方法が広く採用されている。ところが、このように金属製のステープルにより綴じられた紙葉類を廃棄する際には、紙葉類とステープルとを分別すべくステープルを取り外す必要がある場合がある。
【０００３】
この不具合を解消する方法として、例えば、紙葉類に糊を転写して貼り合わせることにより紙葉類を綴じる方法を採用することが考えられる。このような方法を採用するにあたって用いられる綴じ具として、上面に紙葉類を積層させた状態で配置可能なベースと、この紙葉類の一端部に設定した糊付け位置の上方に糊シートを案内する案内部と、前記糊付け位置の上方に達した糊シートを紙葉類に圧接させるための押圧部とを有する製本装置が考えられている（例えば、特許文献１を参照）。
【０００４】
ところで、前記特許文献１記載の製本装置は、ベースを机等の天板面上に載せ置いた状態で使用する載置式のものであるが、従来、紙葉類の枚数が多くない場合には使用者が片手で把持可能な小型のステープルを用いることが多く、これに対応して使用者が片手で把持可能かつ簡単な操作により紙葉類に糊付け可能な綴じ具が求められている。
【先行技術文献】
【特許文献】
【０００５】
【特許文献１】特開２００７−２１６６７７号公報
【発明の概要】
【発明が解決しようとする課題】
【０００６】
本発明は以上の点に着目し、使用者が片手で把持可能でかつ簡単な操作により紙葉類に糊付け可能な綴じ具を実現することを目的とする。
【課題を解決するための手段】
【０００７】
すなわち本発明に係る綴じ具は、複数枚積層した状態の紙葉類のうち１枚を送り出す送り出し機構と、紙葉類に糊を転写する機能を有する転写機構と、これら送り出し機構及び転写機構を作動させるための操作力を受け付ける操作部とを具備するものであって、紙葉類をセットした後操作部に対する一連の操作を受けて前記送り出し機構と前記転写機構とが連続して作動するものであって、操作部に対する初回の操作を行うことにより前記送り出し機構が機能してセットした紙葉類の最上層に位置する１枚が送り出される動作と前記転写機構が機能して最上層の直下に位置する１枚に糊が転写する動作とが続けて行われ、操作部に対する２回目以降の操作を行うことにより前記送り出し機構と同一の送り出し機構が機能して直前の操作により糊が転写された１枚が送り出される動作と前記転写機構が機能して糊が転写された１枚の直下に位置する１枚に糊が転写する動作とが続けて行われることを特徴とする。
【０００８】
このようなものであれば、一連の操作により最上層に位置する紙葉類を送り出して新たに最上層となった紙葉類に糊を転写することができ、該操作を繰り返すことにより操作開始時点において最上層に位置している紙葉類を除く紙葉類に糊を転写できるので、従来の片手で把持可能な転写具に送り出し機構を追加するだけの簡単な構成により使用者が片手で把持可能な綴じ具を実現できるとともに、この綴じ具により簡単な操作によりステープルを用いることなく紙葉類を綴じるようにできる。
【０００９】
特に、セットした紙葉類を挟持する紙葉類挟持部を先端部に有し、糊を転写した後の紙葉類がこの紙葉類挟持部と転写機構との間の空間に配されるとともに、糊を転写した後の紙葉類を前記空間から紙葉類挟持部を通過させて取り除く操作により紙葉類を綴じることが可能であれば、紙葉類に糊を転写する操作と紙葉類を取り除く操作とを連続して行うことによりきわめて簡単に紙葉類を綴じることができる。
【００１０】
紙葉類をセットした後操作部に対する一連の操作を受けて前記送り出し機構と前記転写機構とを連続して作動させるようにするための構成の一例として、同一の操作部に対する操作により、前記送り出し機構による紙葉類の送り出しと、前記転写機構による転写とを連続して行うものが挙げられる。
【００１１】
また、本発明に係る他の綴じ具は、複数枚積層した状態の紙葉類のうち最上層の１枚を送り出す送り出し機構と、紙葉類に糊を転写する機能を有する転写機構と、これら送り出し機構及び転写機構を作動させるための操作力を受け付ける操作部とを具備し、紙葉類をセットした後操作部に対する一連の操作を受けて前記送り出し機構と前記転写機構とが連続して作動し、同一の操作部に対する操作により、前記送り出し機構による紙葉類の送り出しと、前記転写機構による転写とを連続して行う綴じ具であって、前記操作部に対する操作を開始した後紙葉類が所定距離移動するまでは前記送り出し機構のみが作動するとともに、送り出し機構により紙葉類が所定距離移動した後は前記送り出し機構と前記転写機構との双方が作動することを特徴とする。このようなものであれば、従来の片手で把持可能な転写具に送り出し機構を追加するだけの簡単な構成により使用者が片手で把持可能な綴じ具を実現できるとともに、この綴じ具により簡単な操作によりステープルを用いることなく紙葉類を綴じるようにできるという本発明の最も重要な効果に加え、すでに糊を転写済みの紙葉類を送り出し次に糊を転写すべき紙葉類を露出させた後直ちに糊を転写するので、紙葉類を露出させるための特別な機構を設ける必要がなくなるという効果を得ることができる。
【００１２】
また、紙葉類をセットした後操作部に対する一連の操作を受けて前記送り出し機構と前記転写機構とを連続して作動させることができる、本発明の他の綴じ具として、転写テープを巻き回してなる転写ヘッドと、この転写ヘッドを備えたリフィルを支持するケースと、このケースを回動可能に支持するベースと、複数枚積層した状態の紙葉類のうち１枚を送り出す送り出し機構と、紙葉類に糊を転写する機能を有する転写機構と、これら送り出し機構及び転写機構を作動させるための操作力を受け付ける操作部とを具備し、前記送り出し機構が、ケースに基端部を枢着したアーム及びこのアームの先端部に設けられ最上層に位置する１枚の紙葉類との間で摩擦力を発生させて該紙葉類を送り出す摩擦力付与部材を備え、セットした紙葉類のうち最上方に位置する１枚を送り出す１枚目送り出し部と、セットした紙葉類のうち最上方から２枚目以降を送り出す２枚目以降送り出し部とを備え、前記転写機構が、糊を転写する機能の他に、糊が転写された紙葉類を送り出しその直下に位置する紙葉類を表出させる、前記２枚目以降送り出し部としての機能を有するとともに、前記ケースに支持させたリフィルの転写ヘッドが前記ベース及び紙葉類から離間する退避位置から前記転写ヘッドが紙葉類に衝き当たる使用位置までケースを移動させる操作に伴い、前記１枚目送り出し部が作動することを特徴とするものが挙げられる。このようなものであっても、従来の片手で把持可能な転写具に送り出し機構を追加するだけの簡単な構成により使用者が片手で把持可能な綴じ具を実現できるとともに、この綴じ具により簡単な操作によりステープルを用いることなく紙葉類を綴じるようにできるという本発明の最も重要な効果を得ることができる。
【発明の効果】
【００１３】
本発明によれば、従来の片手で把持可能な転写具に送り出し機構を追加するだけの簡単な構成により、使用者が片手で把持可能でかつ簡単な操作により紙葉類に糊付け可能な綴じ具を実現することができる。
【図面の簡単な説明】
【００１４】
【図１】本発明の第一の実施形態に係る綴じ具を示す斜視図。
【図２】同実施形態に係る綴じ具の要部を示す側断面図。
【図３】同実施形態に係る綴じ具の動作を示すための動作説明図。
【図４】同実施形態に係る綴じ具の動作を示すための動作説明図。
【図５】同実施形態に係る綴じ具の動作を示すための動作説明図。
【図６】同実施形態に係る綴じ具の動作を示すための動作説明図。
【図７】同実施形態に係る綴じ具の動作を示すための動作説明図。
【図８】同実施形態に係る綴じ具の動作を示すための動作説明図。
【図９】同実施形態に係る綴じ具の動作を示すための動作説明図。
【図１０】同実施形態に係る綴じ具の動作を示すための動作説明図。
【図１１】同実施形態に係る綴じ具の動作を示すための動作説明図。
【図１２】同実施形態に係る綴じ具の送り出し機構及び転写機構を示す概略図。
【図１３】同実施形態に係る綴じ具の動作を示すための動作説明図。
【図１４】同実施形態に係る綴じ具の動作を示すための動作説明図。
【図１５】同実施形態に係る綴じ具の動作を示すための動作説明図。
【図１６】同実施形態に係る綴じ具の動作を示すための動作説明図。
【図１７】同実施形態に係る綴じ具の動作を示すための動作説明図。
【図１８】同実施形態に係る綴じ具の動作を示すための動作説明図。
【図１９】同実施形態に係る綴じ具による紙葉類の送り出し態様を示す図。
【図２０】同実施形態に係る綴じ具の送り出し機構及び転写機構を示す概略図。
【図２１】同実施形態に係る綴じ具の動作を示すための動作説明図。
【図２２】同実施形態に係る綴じ具の動作を示すための動作説明図。
【図２３】同実施形態に係る綴じ具の動作を示すための動作説明図。
【図２４】本発明の第二の実施形態に係る綴じ具を示す斜視図。
【図２５】同実施形態に係る綴じ具を示す背面側斜視図。
【図２６】同実施形態に係る綴じ具を示す右側面図。
【図２７】同実施形態に係る綴じ具の動作を示すための動作説明図。
【図２８】同実施形態に係る綴じ具の動作を示すための動作説明図。
【図２９】同実施形態に係る綴じ具の動作を示すための動作説明図。
【図３０】同実施形態に係る綴じ具を示す左側面図。
【図３１】本発明の他の実施形態に係る綴じ具を示す図。
【図３２】本発明の他の実施形態に係る綴じ具を示す図。
【発明を実施するための形態】
【００１５】
本発明の第一の実施形態を、図面を参照しつつ以下に述べる。
【００１６】
本実施形態に係る綴じ具は、図１及び図２に示すように、転写テープＴを内部に収納してなるリフィル１と、このリフィル１を支持するケース２と、このケース２の前記リフィル１を取り付ける部位と反対側に設けられ複数枚積層した状態の紙葉類Ｐのうち最上層の１枚を送り出す送り出し機構３と、前記転写テープＴから紙葉類Ｐに糊を転写するための転写機構４と、前記ケース２の前方に設けられ先端部に紙葉類Ｐの上面に衝き当てる紙押さえローラ５２を有する紙押さえアーム５と、この紙押さえアーム５との間で紙葉類Ｐを挟持するためのベース６と、このベース６の前端部に軸支させてなる操作部たるレバー７とを具備する。
【００１７】
前記リフィル１は、図２に示すように、転写テープＴを供給する供給リール１１と、この供給リール１１から供給される転写テープＴを巻き回してなる転写ヘッド１２と、この転写ヘッド１２を通過した転写テープＴを巻き取るための巻取リール１３とを有し、転写テープＴを利用した転写具に用いられるリフィルとして周知のものと同様の構成を有する。また、このリフィル１は、軸２０により前記ケース２に軸支されていて、ねじりコイルばね１４により転写ヘッド１２が紙葉類に接近する方向に付勢されている。
【００１８】
前記ケース２は、図１及び図２に示すように、板状をなし一方の面に前記リフィル１の前記供給リール１１、前記転写ヘッド１２及び前記巻取リール１３をそれぞれ軸支するための軸を備えたケース本体２１と、このケース本体２１からリフィル１側に起立する周壁２２と、これらケース本体２１及び周壁２２により区画される空間を被覆するリフィルカバー２３とを備えている。また、前記ケース本体２１の他方の面側には、前記送り出し機構３を支持させている。そして、前記ケース本体２１の送り出し機構３側には、この送り出し機構３を被覆するための後カバー２４を取り付けるようにしている。
【００１９】
前記送り出し機構３は、図２に示すように、前記レバー７からの駆動力を受けて回転する歯車列３１とこの歯車列３１の前端の歯車と共通の軸に軸支され紙葉類Ｐに衝き当たって摩擦力により紙葉類Ｐを駆動する上送り出しローラ３２と、前記上送り出しローラ３２の下方に位置しこの上送り出しローラ３２との間で紙葉類Ｐを挟持することにより紙葉類Ｐと上送り出しローラ３２との間で摩擦力を発生させるための摩擦力付与部材である下摩擦ローラ３３と、この下摩擦ローラ３３をその上端部において軸支し該下摩擦ローラ３３が紙葉類Ｐに衝き当たる位置と紙葉類Ｐから離間する位置との間で移動可能な摩擦ローラ支持アーム３４と、前記レバー７が前記ケース２に接近する動作を行っている際に前記歯車列３１を駆動させ、前記レバー７が前記ケース２から離間する動作を行っている際には前記レバー７と前記歯車列３１とを切り離すための図示しない接離機構とを備えている。ここで、前記歯車列３１は、本実施形態では５個の歯車を利用して構成している。また、この５個の歯車のうち前記紙押さえアーム５から最も離れた位置に配した歯車３１ａと共通の軸には、この歯車列に駆動力を伝達するための駆動歯車３０を設けている。この駆動歯車３０は、前記レバー７の後述するラック歯７２ａに噛合し、このラック歯７２ａの上下移動を回転動作に変換して歯車列３１に伝達する。また、前記紙押さえローラ支持アーム３４は、図示しないねじりコイルばねにより、その先端に支持させた下紙押さえローラ３３が上送り出しローラ３２と離間する方向に付勢されている。一方、前記接離機構３５は、前記レバー７に接続してなりラック歯７２ａを備えたラック７２と、このラック７２に設けたピン７２１を収納するガイド通路２１ａとを利用したワンウェイカム機構である。さらに詳述すると、前記ラック７２は図示しないねじりコイルばねにより前記歯車列３１側に付勢され、前記ピン７２１が前記ガイド通路２１ａを形成する第２の通路２１ａ２を通るようにしている。そのため、前記レバー７が前記ケース２に接近する際には、ラック７２のラック歯７２ａが前記駆動歯車３０と噛み合い、この駆動歯車３０と共通の軸に設けた歯車３１ａが駆動歯車３０と同期回転することにより歯車列３１の全体が駆動される。一方、レバー７がケース２に最大限接近した際には、前記ピン７２１が前記ガイド通路２１ａ内に設けた戻り止め爪２１１を弾性変形させて乗り越え、ラック７２のラック歯７２ａが歯車列３１の歯車と切り離される。このとき、前記ピン７２１は前記ガイド通路２１ａを形成する第１の通路２１ａ１を通る。そして、この状態で前記レバー７が前記ケース２から離間すると、ラック歯７２ａが歯車列３１の歯車と切り離されたままレバー７がケース２から最大限離間した位置に達する。
【００２０】
前記転写機構４は、本実施形態では、図２に示すように、前記転写ヘッド１２と、前記転写ヘッド１２に接触した状態でこの転写ヘッド１２に設けた駆動歯車１２ａを前記歯車列３１と噛合位置に向けて駆動する下転写ローラ４１と、この下転写ローラ４１を一端部において前記ケース２に支持させる転写ローラ支持アーム４２と、この転写ローラ支持アーム４２の他端部に接触し前記転写ローラ支持アーム４２を前記転写ヘッド１２に接触する転写位置と前記転写ヘッド１２から離間させる空送り位置との間で進退させる機能を備えたカム４３と、前記下転写ローラ４１を紙葉類Ｐ側に付勢するためのばね４４とを具備する。なお、前記転写ローラ支持アーム４２は、図示しないねじりコイルばねにより、下転写ローラ４１が転写ヘッド１２から離間する方向に付勢されている。
【００２１】
前記紙押さえアーム５は、図１及び図２に示すように、ケース２の前上端部から前方に延伸するアーム本体５１と、このアーム本体５１の先端の下方に設けてなる前記紙押さえローラ５２と、この紙押さえローラ５２を支持するとともに前記アーム本体５１に取り付けてなるローラ支持部材５３と、このローラ支持部材５３とアーム本体５１との間に設けてなり紙押さえローラ５２及びローラ支持部材５３を紙葉類Ｐ側に付勢するばね５４とを備えている。
【００２２】
前記ベース６は、図１及び図２に示すように、前記ケース２の後下端部から前方に延伸し、その前端部で前記レバー７を支持するベース本体６１と、このベース本体６１に支持されてなり、前記紙押さえアーム５の紙押さえローラ５２との間で紙葉類Ｐを挟持する使用位置と、前記紙押さえローラ５２から離間する非使用位置との間で移動可能な紙押さえステージ６２とを備えている。このベース６と前記紙押さえアーム５とにより、紙葉類Ｐを挟持するための紙葉類挟持部Ｓを構成している。前記紙押さえステージ６２は、図示しないねじりコイルばねにより、非使用位置に向かう側に付勢されている。さらに、前記紙押さえステージ６２には、使用位置においてベース本体６１の上面に弾性係合することにより紙押さえステージ６２を使用位置にロックするためのロック爪６２１を設けている。また、この紙押さえステージ６２には、該紙押さえステージ６２が使用位置にある場合にのみ前記送り出し機構３を機能させるためのゲート機構８を接続している。
【００２３】
このゲート機構８は、図２に示すように、一端部を前記紙押さえステージ６２に接続してなり該紙押さえステージ６２の移動に連動して進退するリンクメンバ８１と、前記ケース２に回動可能に支持され前記リンクメンバ８１の他端部に接続してなるとともに、前記紙押さえステージ６２が非使用位置にある場合前記ラック７２を前記送り出し機構の歯車列３１から離間させた状態に保つゲート部材８２とを具備する。
【００２４】
前記レバー７は、図１及び図２に示すように、前記ベース６の前端部に回動可能に支持されているレバー本体７１と、このレバー７の後端部に支持させてなり、前記送り出し機構３の構成要素でもあるラック７２とを備えている。さらに、前記レバー７の前部には、前記紙押さえステージ６２の下面６２ａに衝き当たることにより該紙押さえステージ６２を使用位置に向けて押圧するための押圧受部７１１を設けている。なお、前記レバー本体７１は、図示しないねじりコイルばねにより、ベース６から離間する方向に付勢されている。また、前記ラック７２は、ねじりコイルばね７３によりラック歯７２ａが駆動歯車３０に接近する方向に付勢されている。
【００２５】
ここで、紙葉類Ｐを綴じる際の操作、及びこの操作に伴う各部の作用について以下に述べる。
【００２６】
まず、図２に示すように、前記紙押さえステージ６２を非使用位置に配した状態で、紙葉類Ｐを前記ケース２とベース６との間の空間に挿入する。
【００２７】
次いで、レバー７をケース２に接近させる操作を行う。操作を行った当初の時点では、図２及び図１２に示すように、ゲート部材８２によりラック７２の歯車列３１に向かう方向への移動が規制されているので、ラック歯７２ａが歯車列３１を駆動することなく上昇し、図３及び図１３に示すような状態となる。その際、ラック７２に設けたピン７２１は、ガイド通路２１ａを形成する第１の通路２１ａ１内を移動する。一方、レバー７が上昇すると、レバー本体７１の押圧受部７１１が紙押さえステージ６２の下面６２ａに衝き当たり、紙押さえステージ６２が使用位置に向けて駆動される。このとき、摩擦ローラ支持アーム３４が紙押さえステージ６２に衝き当たることにより起立し、下摩擦ローラ３３と上送り出しローラ３２との間で紙葉類Ｐが挟持され、図４及び図１４に示すような状態となる。また、紙押さえステージ６２の起立動作に伴い、前記ゲート機構８のリンクメンバ８１が押圧され、このリンクメンバ８１によりゲート部材８２が下方に駆動され、前記図４及び図１４に示すように、ラック７２の歯車列３１に向かう方向への移動が許可される。そして、紙押さえステージ６２が使用位置に達すると、この紙押さえステージ６２は使用位置にロックされる。その後、レバー７に操作力を加えた状態を解除すると、レバー７はケース２から離間し、図５及び図１５に示すような状態となる。
【００２８】
それからレバー７をケース２に接近させる操作を行うと、まず、図６に示すように、ラック７２に設けたピン７２１が、ガイド通路２１ａを形成する第２の通路２１ａ２内を移動し、前記ラック７２のラック歯７２ａが駆動歯車３０に噛合する。このとき、回転力が駆動歯車３０から歯車列３１を介して上送り出しローラ３２に伝達され、図６に示す状態から図７に示す様態を経て図８及び図１６に示す状態となり、図１９の（ｂ）及び図２１に示すように、紙葉類Ｐのうち最上層に位置する１枚Ｐ１が前方に送られる。一方、前記駆動歯車３０から駆動力の伝達を受けてカム４３が回転するが、このカム４３が５分の３回転するまでは、転写ローラ支持アーム４２が回転して下転写ローラ４１を転写ヘッド１２に向けて駆動する。その際、下転写ローラ４１は転写ヘッド１２と離間しているので、転写ヘッド１２と紙葉類Ｐとの間の摩擦力は十分大きくなく、従って紙葉類Ｐのうち最上層に位置する１枚Ｐ１への糊の転写は行われない。ここで、前記カム４３が５分の３回転した時点で、紙葉類Ｐのうち最上層に位置する１枚Ｐ１はその全体が上送り出しローラ３２の前方に送り出され、その直下に位置する１枚Ｐ２が新たに転写ヘッド１２に対向する。一方、前記カム４３が５分の３回転した後、さらに５分の２回転するまでの間は、図９及び図２２に示すように、下転写ローラ４１が転写ヘッド１２に衝き当たり、転写ヘッド１２の駆動歯車１２ａが歯車列３１から駆動力の伝達を受けるようになる。そして、この間、図１９の（ｃ）、図２２及び図２３に示すように、前記紙葉類Ｐ２への糊の転写が行われると同時に該紙葉類Ｐ２が前方に送られる。
【００２９】
その後、レバー７にさらに操作を加えて図１０に示す状態となった後、さらにレバー７に操作を加えてレバー７がケース２に最大限接近した際には、図１１及び図１８に示すように、ラック７２に設けたピン７２１が戻り止め爪２１１を乗り越えるとともに、前記下転写ローラ４１が転写ヘッド１２から離間する。その後、レバー７に操作力を加えた状態を解除すると、レバー７はケース２から離間する。
【００３０】
以上の操作により、紙葉類Ｐのうち最上層の１枚Ｐ１は糊が転写されることなく前方に送られ、その直下の１枚Ｐ２に糊が転写される。
【００３１】
それから、レバー７をケース２に接近させて離間させる操作を再度行うと、糊が転写された紙葉類Ｐ２が前方に送られ、その直下の１枚の紙葉類に糊が転写される。このとき、紙葉類Ｐは図１９の（ｃ）の状態から同図の（ｄ）の状態を経て同図の（ｅ）の状態となる。すなわち、本実施形態ではレバー７に対する操作により、前記送り出し機構３による紙葉類Ｐ２の送り出しと、前記転写機構４による糊の転写とが連続して行われる。以下、最下層に位置する紙葉類Ｐに糊を転写するまで、レバー７をケース２に接近させて離間させる操作を繰り返す。
【００３２】
そして、最下層に位置する紙葉類Ｐに糊を転写した後、紙葉類Ｐを前記紙葉類挟持部Ｓにより挟持した状態のままこの紙葉類挟持部Ｓを通過させつつ紙葉類Ｐを引き抜く操作を行うと、紙葉類Ｐの糊が転写された位置が重なり合い、紙葉類Ｐが糊により綴じられる。
【００３３】
以上に述べたように、本実施形態に係る綴じ具の構成によれば、一連の操作により送り出し機構３と転写機構４とが連続して機能するので、最上層に位置する紙葉類Ｐを送り出して新たに最上層となった紙葉類Ｐに糊を転写することができ、該操作を繰り返すことにより操作開始時点において最上層に位置している紙葉類Ｐを除く紙葉類Ｐに糊を転写できる。従って、従来の片手で把持可能な転写具に送り出し機構３を追加するだけの簡単な構成により使用者が片手で把持可能な綴じ具を実現できるとともに、この綴じ具により簡単な操作によりステープルを用いることなく紙葉類Ｐを綴じるようにできる。
【００３４】
また、前記紙押さえアーム５とベース６とからなりセットした紙葉類Ｐを挟持する紙葉類挟持部Ｓを先端部に有し、糊を転写した後の紙葉類Ｐがこの紙葉類挟持部Ｓと転写機構４との間の空間に配されるとともに、糊を転写した後の紙葉類Ｐを前記空間から紙葉類挟持部Ｓを通過させて取り除く操作により紙葉類Ｐを綴じることが可能であるので、紙葉類Ｐに糊を転写する操作と紙葉類Ｐを取り除く操作とを連続して行うことによりきわめて簡単に紙葉類Ｐを綴じることができる。
【００３５】
さらに、同一のレバー７に対する操作により、前記送り出し機構３による紙葉類Ｐの送り出しと、前記転写機構４による転写とを連続して行うので、紙葉類Ｐをセットした後レバー７に対する一連の操作を受けて前記送り出し機構３と前記転写機構４とを連続して作動させることができる。
【００３６】
そして、前記レバー７に対する操作を開始した後紙葉類Ｐが所定距離すなわち前記カム４３を５分の３回転させるのに必要な所定距離だけ移動するまでは前記送り出し機構３のみが作動するとともに、送り出し機構３により紙葉類Ｐが前記所定距離移動した後は前記送り出し機構３と前記転写機構４との双方が作動するので、すでに糊を転写済みの紙葉類Ｐを送り出し次に糊を転写すべき紙葉類Ｐを露出させた後、直ちに糊が転写される。従って、紙葉類Ｐを露出させるための特別な機構を設ける必要がない。
【００３７】
加えて、前記転写機構４を、転写ヘッド１２と下転写ローラ４１との間で紙葉類Ｐを挟持している場合にのみ糊を転写するように構成しているとともに、前記下転写ローラ４１を転写ローラ支持アーム４２の一端部に支持させてなり、さらに、この転写ローラ支持アーム４２と、この転写ローラ支持アーム４２の他端部に接し該転写ローラ支持アーム４２を駆動するカム４３とを有し、このカム４３が第１の所定量、具体的には５分の３回転する間糊の転写を禁止するとともに該カム４３が第２の所定量、具体的には５分の２回転する間糊の転写を継続して許可する転写タイミング設定手段を設けているので、最上層の紙葉類Ｐ又は糊の転写を終えた紙葉類Ｐを確実に転写ローラ１２の下方から確実に前方に送り出しつつ、新たな紙葉類Ｐに糊を安定して転写することができる。
【００３８】
次いで、本発明の第二の実施形態を、図面を参照しつつ以下に述べる。
【００３９】
本実施形態に係る綴じ具は、図２４、図２５、図２６及び図３０に示すように、転写テープを内部に収納してなるリフィルＡ１と、このリフィルＡ１を支持するケースＡ２と、このケースＡ２の前記リフィルＡ１を取り付ける部位と反対側に設けられ複数枚積層した状態の紙葉類Ｐのうち最上層の１枚Ｐ１を送り出す送り出し機構Ａ３と、前記ケースＡ２の前方に設けられ先端部に紙葉類Ｐの上面に衝き当てる紙押さえローラＡ５２を有する紙押さえアームＡ５と、この紙押さえアームＡ５との間で紙葉類Ｐを挟持するためのベースＡ６と、このベースＡ６に軸支させてなる操作部たるレバーＡ７とを具備する。
【００４０】
前記リフィルＡ１は、図２６及び図３０に示すように、転写テープを供給するための供給リールＡ１１と、この供給リールＡ１１から供給される転写テープを巻き回してなる転写ヘッドＡ１２と、この転写ヘッドＡ１２を通過した転写テープを巻き取るための巻取リールＡ１３とを有し、転写テープを利用した転写具に用いられるリフィルとして周知のものと同様の構成を有する。
【００４１】
前記ケースＡ２は、図２４及び図２５に示すように、板状をなし一方の面に前記リフィルＡ１を取り付けてなるとともに他方の面側に前記送り出し機構Ａ３を支持させてなるケース本体Ａ２１と、このケース本体の周縁部からリフィルＡ１側に起立する周壁Ａ２２と、この周壁Ａ２２の起立端に接し前記リフィルＡ１を被覆するリフィルカバーＡ２３と、前記ケース本体Ａ２１の他方の面側に設けられ前記送り出し機構Ａ３を被覆するための歯車カバーＡ２４とを備えている。
【００４２】
前記送り出し機構Ａ３は、図２４、図２６及び図３０に示すように、前記レバーＡ７に備えたラックＡ７２のラック歯Ａ７２ａと、前記ラック歯Ａ７２ａに噛合し前記レバーＡ７が前記ケースＡ２に接近する際に操作力を受けて駆動される動作伝達歯車Ａ３５と、この動作伝達歯車Ａ３５に噛み合うとともに前記転写ヘッドＡ１２と共通の軸により軸支され前記転写ヘッドＡ１２に駆動歯車から操作力を伝達させるための駆動歯車Ａ１２ａと、前記ケースＡ２にその基端部を枢着させてなる摩擦ローラ支持アームＡ３４と、この送り出しローラ支持アームＡ３４の先端部に設けられ前記ケースＡ２が前記ベースＡ６に接近する方向に作用を受けた際に紙葉類Ｐに接近して当接し最上層に位置する１枚の紙葉類Ｐ１との間で摩擦力を発生させて該紙葉類Ｐ１を前方に送り出す摩擦力付与部材である摩擦ローラＡ３３とを備えている。また、前記転写ヘッドＡ１２の下方には、この転写ヘッドＡ１２との間で紙葉類Ｐを挟持し該転写ヘッドＡ１２と紙葉類Ｐとの間に摩擦力を発生させるための下転写ローラＡ３６を設けている。前記動作伝達歯車Ａ３５は、前記ラック歯Ａ７２ａに噛合する歯車と、前記駆動歯車Ａ１２ａに噛合する歯車とを一体に形成し共通の軸により軸支させたもので、前記操作部のレバーＡ７が前記ケースＡ２に接近する際にのみ回転し、逆方向の回転は行わないようにするためのワンウェイクラッチを内蔵している。ここで、前記摩擦ローラ支持アームＡ３４及び前記摩擦ローラＡ３３は、セットした紙葉類Ｐのうち最上方に位置する１枚Ｐ１を転写ヘッドＡ１２の下方から前方に送り出す１枚目送り出し部を構成している。一方、前記ラック歯Ａ７２ａ、前記動作伝達歯車Ａ３５及び前記駆動歯車Ａ１２ａは、転写ヘッドＡ１２を駆動し、セットした紙葉類Ｐのうち最上方から２枚目以降を転写ヘッドＡ１２の下方から前方に送り出す２枚目以降送り出し部、及び紙葉類に糊を転写する請求項中の転写機構としての機能を有する。
【００４３】
前記ベースＡ６は、図２４、図２５、図２６及び図３０に示すように、この基端部に前記ケースＡ２を回動可能に支持させてなるベース本体Ａ６１と、このベース本体の前端部の上方に設けられ紙葉類Ｐの下面に当接させてなる紙押さえステージＡ６２とを有する。また、このベースＡ６は、長手方向中間部において前記紙押さえアームＡ５を軸支している。
【００４４】
前記紙押さえアームＡ５は、図２４、図２５、図２６及び図３０に示すように、その基端部をベースＡ６に回動可能に支持させてなるアーム本体Ａ５１と、このアーム本体Ａ５１の先端の下方に設けてなる前記紙押さえローラＡ５２と、この紙押さえローラＡ５２を支持するとともに前記アーム本体Ａ５１に取り付けてなるローラ支持部材Ａ５３とを備えている。ここで、この紙押さえアームＡ５と前記ベースＡ６とが、請求項中の紙葉類挟持部ＳＳを構成する。
【００４５】
前記レバーＡ７は、図３０に示すように、前記ケースＡ２を使用位置に配した状態で下端部が前記ベースＡ６から下方に突出する通常位置と、その全体が前記ベースＡ６内に収納される操作位置との間で突没可能であるレバー本体Ａ７１と、このレバー本体Ａ７１の上方に一体に設けられ前記動作伝達歯車と噛み合うラック歯Ａ７２ａを備えたラックＡ７２とを有する。
【００４６】
以下、積層した紙葉類Ｐに順次糊付けを行う際の操作及び該操作により各部が受ける作用について述べる。
【００４７】
まず、図２６に示すように、前記ケースＡ２を退避位置に配した状態すなわち転写ヘッドＡ１２とベースＡ６とを離間させた状態で紙押さえアームＡ５とベースＡ６とにより紙葉類Ｐを挟持する。
【００４８】
次いで、前記ケースＡ２を退避位置から使用位置に向けて移動させる。
【００４９】
このとき、まず、摩擦ローラ支持アームＡ３４及び摩擦ローラＡ３３が紙葉類Ｐに漸次接近する。その後、摩擦ローラＡ３３が紙葉類Ｐに衝き当たり、さらに、図２７に示すように、紙葉類Ｐの最下面とベースＡ６との間に隙間がなくなるまで紙葉類Ｐを下方に押圧する。
【００５０】
紙葉類Ｐの最下面とベースＡ６との間に隙間がなくなった後、さらに前記ケースＡ２を退避位置から使用位置に向けて移動させると、摩擦ローラＡ３３と紙葉類Ｐとの間に摩擦力が生じ、この摩擦力により摩擦ローラＡ３３の先端部、及び積層した紙葉類Ｐの内最上層に位置する１枚Ｐ１が前方に向けて駆動され、図２８に示すように、新たにその直下に位置する紙葉類Ｐ２が露出する。
【００５１】
そして、前記ケースＡ２が使用位置に達すると、図２９及び図３０に示すように、前記レバーＡ７がベースＡ６の下面から下方に突出した状態となり、転写ヘッドＡ１２が紙葉類Ｐに衝き当たる。このとき、図２９及び図３０に示すように、最上層の紙葉類Ｐ１と新たに露出した紙葉類Ｐ２とは離間する。
【００５２】
この状態でレバーＡ７を上方に押圧すると、このレバーＡ７から操作力がリフィルＡ１内の転写ヘッドＡ１２に伝達され、この転写ヘッドＡ１２の下方に露出する紙葉類Ｐ２に糊の転写が行われると同時に糊付けが行われた紙葉類Ｐ２が前方に送り出され、その直下に位置する新たな紙葉類Ｐが露出する。
【００５３】
すなわち、本実施形態では、紙葉類Ｐをセットした直後に前記送り出し機構Ａ３のうち摩擦ローラＡ３３及び摩擦ローラ支持アームＡ３４が作動して最上層に位置する紙葉類Ｐ１を送り出すとともに、前記送り出し機構Ａ３のその他の部位は、糊を転写する請求項中の転写機構としての機能と、糊が転写された紙葉類Ｐを送り出しその直下に位置する紙葉類Ｐを表出させる機能とを発揮する。
【００５４】
その後、レバーＡ７を押圧した状態を解除すると、レバーＡ７は下方に移動するが、転写ヘッドＡ１２は空転する。
【００５５】
３枚以上積層した紙葉類Ｐに対して糊付けを行う場合には、レバーＡ７を上方に押圧し、押圧状態を解除する操作を最下層の紙葉類Ｐに糊付けが行われるまで繰り返す。
【００５６】
そして、前記紙葉類挟持部ＳＳにより紙葉類Ｐを挟持した状態のまま紙葉類Ｐを前方に移動させると、紙葉類Ｐの糊付けされた部位が重なり合うので紙葉類Ｐ同士が糊により接着されて綴じられた状態となる。
【００５７】
以上に述べたように、本実施形態に係る綴じ具の構成によっても、一連の操作により最上層に位置する紙葉類Ｐを送り出して新たに最上層となった紙葉類Ｐに糊を転写することができ、該操作を繰り返すことにより操作開始時点において最上層に位置している紙葉類Ｐを除く紙葉類Ｐに糊を転写できる。従って、従来の片手で把持可能な転写具に送り出し機構Ａ３を追加するだけの簡単な構成により使用者が片手で把持可能な綴じ具を実現できるとともに、この綴じ具により簡単な操作によりステープルを用いることなく紙葉類Ｐを綴じるようにできる。
【００５８】
また、紙押さえアームＡ５とベースＡ６とにより構成されセットした紙葉類Ｐを挟持する紙葉類挟持部ＳＳを先端部に有し、糊を転写した後の紙葉類Ｐがこの紙葉類挟持部ＳＳと転写機構Ａ４との間の空間に配されるとともに、糊を転写した後の紙葉類Ｐを前記空間から紙葉類挟持部ＳＳを通過させて取り除く操作により紙葉類Ｐを綴じることが可能であるので、紙葉類Ｐに糊を転写する操作と紙葉類Ｐを取り除く操作とを連続して行うことによりきわめて簡単に紙葉類Ｐを綴じることができる。
【００５９】
さらに、紙葉類Ｐをセットした直後に前記送り出し機構Ａ３が作動するとともに、この送り出し機構Ａ３が、糊を転写する転写機構としての機能、及び糊が転写された紙葉類Ｐを送り出しその直下に位置する紙葉類Ｐを表出させる機能を有するので、紙葉類Ｐをセットした後操作部に対する一連の操作を受けて請求項中の転写機構としての機能と請求項中の送り出し機構としての機能を連続して発揮させることができる。
【００６０】
そして、前記送り出し機構Ａ３が、前記摩擦ローラ支持アームＡ３４及び前記摩擦ローラＡ３３を備え、セットした紙葉類Ｐのうち最上方に位置する１枚Ｐ１を転写ヘッドＡ１２の下方から前方に送り出す１枚目送り出し部と、一方、前記ラック歯Ａ７２ａ、前記動作伝達歯車Ａ３５及び前記駆動歯車Ａ１２ａを備え、転写ヘッドＡ１２を駆動してセットした紙葉類Ｐのうち最上方から２枚目以降を転写ヘッドＡ１２の下方から前方に送り出す２枚目以降送り出し部とを備えているので、２枚目送り出し部は従来の転写具の転写ヘッドの転写ローラを駆動するための機構を共用でき、部品の共通化を図ることができる。その上で、前記摩擦ローラＡ３３は、紙葉類Ｐのうち最上層に位置する１枚Ｐ１を送り出した後上方に移動するので、２枚目以降の紙葉類Ｐは前記紙葉類挟持部ＳＳの紙押さえアームＡ５と転写ヘッドＡ１２との間においては上方から作用を受けず、２枚目以降の紙葉類に対する糊付け及び送り出し作業をより円滑に行うことができる。
【００６１】
なお、本発明は以上に述べた実施形態に限らない。
【００６２】
例えば、上述した第一の実施形態では、操作部と転写機構との間にカムの形状を、カムが５分の２回転する間下転写ローラが転写ヘッドに衝き当たり、その間転写ヘッドが紙葉類に圧接し糊の転写を行うようにしているが、その他の形状のカム、一例としては略円筒状をなすとともに径方向に突出する１又は複数の突起を有する形状のカムを採用し、カムの突起により転写ローラ支持アームを上方に駆動し、この突起が転写ローラ支持アームの先端に衝き当たった際にのみ紙葉類に糊を転写するようにしてもよい。この場合、下転写ローラに替えて略平板状の転写ステージを設けるようにしてもよく、また、転写ヘッドの後方に補助ローラを設け、紙葉類の上方の前記転写ヘッド及び前記補助ローラ及び紙葉類の下方の前記下転写ローラ又は転写ステージにより紙葉類を上下から挟持して糊の転写を行うようにしてもよい。さらに、上述した第一の実施形態では、下摩擦ローラを摩擦ローラ支持アームに支持させ下摩擦ローラを紙葉類の下方に退避可能にしているが、下摩擦ローラが常時紙葉類の下方に衝き当たる構成を採用してもよい。
【００６３】
また、上述した第二の実施形態では、摩擦ローラが一旦紙葉類の上面に衝き当たった後、摩擦ローラと最上層の紙葉類との間の摩擦力を利用してこれら摩擦ローラ及び最上層の紙葉類を上方に退避させるようにしているが、これ以外に以下に述べるような態様を採用してもよい。すなわち、図３１及び図３２に示すように、転写ヘッドＢ１２を備えた図示しないリフィルを内部に収納するケースＢ２と、このケースＢ２に軸支させてなる摩擦ローラ支持アームＢ３４及びこの摩擦ローラ支持アームＢ３４の先端部に支持され紙葉類との間の摩擦力を利用して紙葉類を送り出す摩擦力付与部材である摩擦ローラＢ３３を備えた１枚目送り出し部を有する送り出し機構と、前記ケースＢ２の前端部に取り付けてなるアーム本体Ｂ５１、このアーム本体Ｂ５１の先端部に支持され紙葉類を上方から押圧する紙押さえローラＢ５２、及びこの紙押さえローラＢ５２を支持し前記アーム本体Ｂ５１に取り付けてなるローラ支持部材Ｂ５３を備えた紙押さえアームＢ５と、前記ケースＢ２の後下端部から前方に延伸するベース本体Ｂ６１及びこのベース本体の前端に取り付けてなる紙押さえステージＢ６２を有し前記紙押さえアームＢ５とともに紙葉類挟持部を構成するベースＢ６と、操作力を受け付ける操作部たるレバーＢ７とを具備し、前記送り出し機構が、レバーＢ７からの操作力を前記転写ヘッドＢ１２に伝達することにより２枚目以降の紙葉類への糊転写操作及び送り出し操作を同時に行う２枚目以降送り出し部を皿日備える綴じ具において、前記摩擦ローラＢ３３が、前記紙葉類挟持部に紙葉類を挟持させた状態において常時紙葉類の上方に衝き当たるようにしてもよい。
【００６４】
そして、複数枚積層した状態の紙葉類Ｐの下面に当接し紙葉類に摩擦力を付与可能な摩擦力付与部材として使用できるものであれば、上述した各実施形態における摩擦ローラ３３、Ａ３３、Ｂ３３に替えて、ローラ以外の部材を採用してもよい。
【００６５】
その他、本発明の趣旨を損ねない範囲で種々に変形してよい。
【符号の説明】
【００６６】
３、Ａ３…送り出し機構
４…転写機構
７、Ａ７…レバー（操作部）
Ｓ、ＳＳ…紙葉類挟持部
【図１】
0005828127.tif 000002
【図２】
0005828127.tif 000003
【図３】
0005828127.tif 000004
【図４】
0005828127.tif 000005
【図５】
0005828127.tif 000006
【図６】
0005828127.tif 000007
【図７】
0005828127.tif 000008
【図８】
0005828127.tif 000009
【図９】
0005828127.tif 000010
【図１０】
0005828127.tif 000011
【図１１】
0005828127.tif 000012
【図１２】
0005828127.tif 000013
【図１３】
0005828127.tif 000014
【図１４】
0005828127.tif 000015
【図１５】
0005828127.tif 000016
【図１６】
0005828127.tif 000017
【図１７】
0005828127.tif 000018
【図１８】
0005828127.tif 000019
【図１９】
0005828127.tif 000020
【図２０】
0005828127.tif 000021
【図２１】
0005828127.tif 000022
【図２２】
0005828127.tif 000023
【図２３】
0005828127.tif 000024
【図２４】
0005828127.tif 000025
【図２５】
0005828127.tif 000026
【図２６】
0005828127.tif 000027
【図２７】
0005828127.tif 000028
【図２８】
0005828127.tif 000029
【図２９】
0005828127.tif 000030
【図３０】
0005828127.tif 000031
【図３１】
0005828127.tif 000032
【図３２】
0005828127.tif 000033